(57)【特許請求の範囲】
【請求項１】
反利き手で持った線材の被覆を利き手で持ったナイフで剥ぎ取る電工作業の際に、反利き手に装着される電工作業用手袋であって、
親指と人差し指の内側側面部および親指と人差し指の甲側面部が第１の部材で構成され、前記第１の部材以外の部分が第２の部材で構成され、
前記第１の部材は、内側から順にアラミド繊維生地と、超高分子量ポリエチレン繊維不織布製で親指と人差し指の内側側面部および親指と人差し指の甲側面部を覆う補強材と、人工皮革とが積層して構成され、
前記第２の部材は、内側から順にアラミド繊維生地と、人工皮革とが積層して構成され、
前記第１の部材は前記第２の部材よりも耐切創性が高く、かつ、前記第２の部材は前記第１の部材よりも可撓性が高く設定されていて、
前記人口皮革は、耐紫外線性を備える、
ことを特徴とする電工作業用手袋。
【請求項２】
前記補強材は、親指の内側側面部を覆う部分と人指し指の内側側面部を覆う部分とが一体に設けられていて、親指の甲側面部を覆う部分と人差し指の甲側面部を覆う部分とが別体に設けられている、
ことを特徴とする請求項１に記載の電工作業用手袋。
【発明の詳細な説明】
【技術分野】
【０００１】
この発明は、電工作業の際に装着される電工作業用手袋に関し、特に、電工ナイフで電線などの皮剥ぎを行う際に手を保護するための電工作業用手袋に関する。
【背景技術】
【０００２】
例えば、配電作業において電線などの皮剥ぎを行う場合、電工ナイフを使用しているが、誤って電工ナイフで手を切創させてしまうおそれがあり、特に、作業経験が乏しい作業者の場合には、手を切創させてしまうおそれが高い。このため、例えば、耐切創性の生地（アラミド繊維やケブラー繊維等）に皮を縫製した手袋などを装着して、作業を行うようにしている。また、金属ワイヤから成るワイヤメッシュの保護層を、手のひら全体と指の横方向面の部分に設けた手袋が知られている（例えば、特許文献１参照。）。
【先行技術文献】
【特許文献】
【０００３】
【特許文献１】特表２００２−５２４６７１号公報
【発明の概要】
【発明が解決しようとする課題】
【０００４】
ところで、本願発明者の調査によると、電工ナイフで電線などの皮剥ぎを行う場合、親指や人差し指を切創させてしまうおそれが高く、他の部位への切創のおそれが低いことが確認された。さらに、耐切創性が高い生地で手袋全体を構成すると、作業性が低くなることも確認された。従って、特許文献１の手袋では、ワイヤメッシュの保護層が手のひら全体と指の横方向面の部分に設けられているため、電工ナイフで電線などの皮剥ぎを行う場合に、切創を適正に防止することができない。しかも、手のひら全体とすべての指の横方向面の部分に、ワイヤメッシュの保護層が設けられているため、可撓性が低くて作業がしづらく、疲労感も増す。
【０００５】
そこでこの発明は、作業性を確保しつつ、ナイフで電線などの皮剥ぎを行う際の切創を適正に防止することが可能な電工作業用手袋を提供することを目的とする。
【課題を解決するための手段】
【０００６】
上記課題を解決するために、請求項１の発明は、反利き手で持った線材の被覆を利き手で持ったナイフで剥ぎ取る電工作業の際に、反利き手に装着される電工作業用手袋であって、親指と人差し指の内側側面部および親指と人差し指の甲側面部が第１の部材で構成され、前記第１の部材以外の部分が第２の部材で構成され、前記第１の部材は、内側から順にアラミド繊維生地と、超高分子量ポリエチレン繊維不織布製で親指と人差し指の内側側面部および親指と人差し指の甲側面部を覆う補強材と、人工皮革とが積層して構成され、前記第２の部材は、内側から順にアラミド繊維生地と、人工皮革とが積層して構成され、前記第１の部材は前記第２の部材よりも耐切創性が高く、かつ、前記第２の部材は前記第１の部材よりも可撓性が高く設定されていて、前記人口皮革は、耐紫外線性を備える、ことを特徴とする。
【０００７】
請求項２の発明は、請求項１に記載の電工作業用手袋において、前記補強材は、親指の内側側面部を覆う部分と人指し指の内側側面部を覆う部分とが一体に設けられていて、親指の甲側面部を覆う部分と人差し指の甲側面部を覆う部分とが別体に設けられている、ことを特徴とする。
【発明の効果】
【０００８】
請求項１の発明によれば、電工ナイフで電線などの皮剥ぎを行う場合に切創させてしまうおそれが高い、親指と人差し指の内側側面部および親指と人差し指の甲側面部（保護強化必要部位）が、耐切創性が高い第１の部材で構成されている。このため、ナイフで電線などの皮剥ぎを行う際の切創を適正に防止することが可能となる。また、第１の部材以外の部分、つまり保護強化必要部位以外の部分が、可撓性・変形性が高い第２の部材で構成されているため、作業性を良好に確保することが可能となる。また、第１の部材および第２の部材の人口皮革は、耐紫外線性を有するため、内側に積層されたアラミド繊維生地および超高分子量ポリエチレン繊維不織布が紫外線で劣化することがなく、管理も容易となる。
【０００９】
請求項２の発明によれば、第１の部材および第２の部材が積層構造となっているため、積層する生地や積層数を適正に選択・設定することで、所望・所定の耐切創性や可撓性を適正、柔軟かつ容易に形成することが可能となる。また、積層構造であるため可撓性が高く、作業性を良好に確保することが可能となる。
【図面の簡単な説明】
【００１０】
【図１】この発明の実施の形態に係る電工作業用手袋の外観を示す、甲側の図（ａ）と掌側の図（ｂ）である。
【図２】図１の電工作業用手袋の内部構造を示す、甲側の図（ａ）と掌側の図（ｂ）である。
【図３】図２の状態の電工作業用手袋を装着して、電工ナイフで電線の皮剥ぎを行っている状態を示す図である。
【発明を実施するための形態】
【００１１】
以下、この発明を図示の実施の形態に基づいて説明する。
【００１２】
図１は、この発明の実施の形態に係る電工作業用手袋１の外観を示す、甲側の図（ａ）と掌側の図（ｂ）である。この電工作業用手袋１は、電工作業の際に装着される手袋であり、この実施の形態では、利き手が右手であり、反利き手である左手に電工作業用手袋１を装着する場合について説明する。
【００１３】
この電工作業用手袋１は、親指と人差し指の内側側面部および親指と人差し指の甲側面部（保護強化必要部位）が第１の部材２で構成され、第１の部材２以外の部分が主として第２の部材３で構成され、第１の部材２は第２の部材３よりも耐切創性が高く、かつ、第２の部材３は第１の部材２よりも可撓性・変形性が高く設定されている。また、第１の部材２および第２の部材３は、複数の生地を積層して構成されている。
【００１４】
具体的には、図２（ａ）に示すように、手の甲側の面において、耐切創性のアラミド繊維生地製で手形状の甲側アラミド繊維版（生地）４１が形成され、この甲側アラミド繊維版４１の親指部からその付け根を覆うように、超高分子量ポリエチレン繊維不織布製で耐切創性の親指補強材（生地）４２が配設されている。さらに、甲側アラミド繊維版４１の人差し指部から親指部の付け根近くを覆うように、超高分子量ポリエチレン繊維不織布製で耐切創性の人差し指補強材（生地）４３が配設されている。
【００１５】
一方、図２（ｂ）に示すように、手の掌側の面において、耐切創性のアラミド繊維生地製で手形状の掌側アラミド繊維版（生地）５１が形成されている。この掌側アラミド繊維版５１の親指部の内側（人差し指部側）の側縁部と人差し指部の内側（親指部側）の側縁部とにわたって、超高分子量ポリエチレン繊維不織布製で耐切創性の内側補強材（生地）５２が配設されている。ここで、内側補強材５２は、Ｌ字状で、親指部に延びる部分を第１の内側補強材５２ａとし、人差し指部に延びる部分を第２の内側補強材５２ｂとする。
【００１６】
このような甲側アラミド繊維版４１と掌側アラミド繊維版５１とを、補強材４２、４３、５２が外側に位置するように縫い合わせて、手袋状に形成されている。これにより、手に装着した際に、第１の内側補強材５２ａと親指補強材４２の一部（内側）とが親指の内側側面部に位置し、第２の内側補強材５２ｂと人差し指補強材４３の一部（内側）とが人差し指の内側側面部に位置し、さらに、親指補強材４２が親指の甲側面部に位置し、人差し指補強材４３が人差し指の甲側面部に位置するようになっている。ここで、親指補強材４２と人差し指補強材４３と内側補強材５２の形状および配設位置は、後述するようにして電線Ｄの皮剥ぎを行う際に、ナイフＫによって切創するおそれがある部位を中心に、これらの補強材４２、４３、５２が位置するように設定されている。
【００１７】
また、図１（ａ）に示すように、手の甲側の面において、甲側アラミド繊維版４１の全面（外面）を覆うように、人工皮革製で耐切創性および耐紫外線性を有する甲側外装材（生地）６が配設され、この甲側外装材６と甲側アラミド繊維版４１との間に衝撃吸収材としての綿材（図示せず）が配設されている。一方、図１（ｂ）に示すように、手の掌側の面において、掌側アラミド繊維版５１の全面（外面）を覆うように、滑り止め付き人工皮革製で耐切創性および耐紫外線性を有する掌側外装材（生地）７が配設されている。さらに、この掌側外装材７のアテ部（指の付け根から手首に至る部位）には、滑り止め付き人工皮革製で耐切創性および耐紫外線性を有する掌側アテ材（生地）８が配設されている。
【００１８】
このように、第１の部材２は、手の甲側において内側（手側）から順に、アラミド繊維生地（甲側アラミド繊維版４１）、超高分子量ポリエチレン繊維不織布（親指補強材４２、人差し指補強材４３）および人工皮革（甲側外装材６）、という耐切創性生地が３層構造となっており、綿材を含めて４層構造となっている。また、手の掌側においては、内側（手側）から順に、アラミド繊維生地（掌側アラミド繊維版５１）、超高分子量ポリエチレン繊維不織布（内側補強材５２）および人工皮革（掌側外装材７）、という耐切創性生地が３層構造となっている。
【００１９】
一方、第２の部材３は、手の甲側において内側（手側）から順に、アラミド繊維生地（甲側アラミド繊維版４１）および人工皮革（甲側外装材６）、という耐切創性生地が２層構造となっており、綿材を含めて３層構造となっている。また、手の掌側においては、内側（手側）から順に、アラミド繊維生地（掌側アラミド繊維版５１）および人工皮革（掌側外装材７）、という耐切創性生地が２層構造となっており、アテ部においては、人工皮革（掌側アテ材８）を含めて耐切創性生地が３層構造となっている。
【００２０】
このように、第１の部材２が耐切創性生地の３層構造で、第２の部材３が耐切創性生地の２層構造となっており、特に、耐切創性が良好な超高分子量ポリエチレン繊維不織布が第１の部材２に含まれているため、第１の部材２が第２の部材３よりも耐切創性（耐突き刺し性、耐切断性）が高い。一方、第２の部材３が耐切創性生地の２層構造で、超高分子量ポリエチレン繊維不織布が含まれていないため、第２の部材３が第１の部材２よりも可撓性・変形性が高くなっている。ここで、第１の部材２の耐切創性は、後述するようにしてナイフＫで皮剥ぎ作業を行う際に、ナイフＫの刃先を第１の部材２に当てて動かしたとしても、第１の部材２が損傷、破損しないように設定されている。
【００２１】
ここで、少なくとも、甲側外装材６と掌側外装材７と掌側アテ材８は、アラミド繊維糸で縫い付けられている。また、親指部と人差し指部と中指部の先端部は、掌側外装材７が甲側（甲側外装材６側）まで回り込んでロールアップされ、手の甲側のゴム絞り９は、２段しぼりとなっている。
【００２２】
次に、このような構成の電工作業用手袋１の作用などについて説明する。ここで、電線Ｄの皮剥ぎを行う場合について説明する。
【００２３】
まず、反利き手である左手に電工作業用手袋１を装着し、利き手である右手でナイフＫを握る。これにより、電工作業用手袋１の第１の部材２によって左手の親指と人差し指とが覆われ、第２の部材３によって左手の他の部分が覆われる。
【００２４】
そして、図３に示すように、左手で電線Ｄを持ち、ナイフＫを電線Ｄに当てて、手前（左手側）から先に向けてナイフＫを動かして電線Ｄの被覆を剥ぎ取る。この際、誤ってナイフＫの刃先を電線Ｄよりも手前（左手側）に位置させて、親指と人差し指の内側側面部あるいは親指と人差し指の甲側面部（保護強化必要部位）に、ナイフＫの刃先を当ててしまうおそれがある。しかしながら、親指と人差し指の内側側面部および親指と人差し指の甲側面部は、耐切創性が高い第１の部材２でカバーされているため、ナイフＫの操作を誤っても、手の切創が防止されるものである。ここで、図３中符号４４は、甲側アラミド繊維版４１と掌側アラミド繊維版５１との縫い合わせ部を示す。
【００２５】
以上のように、本電工作業用手袋１によれば、電工ナイフＫで電線Ｄの皮剥ぎを行う場合に切創させてしまうおそれが高い、親指と人差し指の内側側面部および親指と人差し指の甲側面部（保護強化必要部位）が、耐切創性が高い第１の部材２で構成されている。このため、ナイフＫで電線Ｄの皮剥ぎを行う際の切創を適正に防止することが可能となる。特に、作業経験が乏しい作業者に対しても、切創を適正に防止することが可能となる。また、第１の部材２以外の部分、つまり保護強化必要部位以外の部分が、可撓性・変形性が高い第２の部材３で構成されているため、作業性を良好に確保することが可能となる。
【００２６】
さらに、第１の部材２および第２の部材３が積層構造となっているため、積層する生地や積層数を適正に選択・設定することで、所望・所定の耐切創性や可撓性を適正、柔軟かつ容易に形成することが可能となる。また、積層構造であるため可撓性が高く、作業性を良好に確保することが可能となる。
【００２７】
また、甲側アラミド繊維版４１や掌側アラミド繊維版５１および各補強材４２、４３、５２が、耐紫外線性を有する甲側外装材６や掌側外装材７で覆われているため、これらが紫外線で劣化することがなく、管理も容易となる。
【００２８】
以上、この発明の実施の形態について説明したが、具体的な構成は、上記の実施の形態に限られるものではなく、この発明の要旨を逸脱しない範囲の設計の変更等があっても、この発明に含まれる。例えば、各生地の種類・素材は、上記のものに限らず、所望・所定の耐切創性や可撓性が得られればよい。また、第１の部材２および第２の部材３を積層構造としているが、一体的な材料で構成してもよい。さらに、電工作業用手袋１を左手に装着、適用する場合について説明したが、右手にも適用できるのは勿論であり、両手に適用してもよい。また、電線Ｄの皮剥ぎを行う場合について説明したが、通信線などの線材の皮剥ぎを行う場合にも適用できることは勿論である。
【符号の説明】
【００２９】
１        電工作業用手袋
２        第１の部材
３        第２の部材
４１      甲側アラミド繊維版（生地）
４２      親指補強材（生地）
４３      人差し指補強材（生地）
５１      掌側アラミド繊維版（生地）
５２      内側補強材（生地）
６        甲側外装材（生地）
７        掌側外装材（生地）
８        掌側アテ材（生地）
９        ゴム絞り
Ｄ        電線
Ｋ        電工ナイフ
【図１】
0006052223.tif 000002
【図２】
0006052223.tif 000003
【図３】
0006052223.tif 000004